(57)【要約】【課題】各種の防水構造や天井構造等において、ビス等の固定具の固定部分から雨水等が伝わってきても、内部への浸入を阻止できる防水空間が形成されるように接続できる建築用板材、及びその接続構造を提供する。【解決手段】本発明の建築用板材１は、隣り合う建築用板材１，１どうしを防水空間１９を形成して接続することができ、面板部１１の一端に、一側立上り部１２の上端を下り傾斜させた水切勾配を備える傾斜片部１３と、その下端が上方へ折曲された縦片部１４、及びその先端が略水平状に折曲された上片部１５を備える重合部１８と、を有し、面板部１１の他端には、他側立上り部１２'の先端が一側へ折り返された被係合部１６、その下方に設けられた排水溝１７、及びその上方へ延設された被重合部１８'を有し、隣り合う当該建築用板材１，１の重合部１８と被重合部１８'とを重合させると共に、前記水切勾配を備える傾斜片部１３を上面とする防水空間１９が形成されるように接続できることを特徴とする。【選択図】図１
2020051123.tif 000002
【特許請求の範囲】
【請求項１】
隣り合う建築用板材どうしを防水空間を形成して接続することができる建築用板材であって、
面板部の一端に、一側立上り部の上端を下り傾斜させた水切勾配を備える傾斜片部と、その下端が上方へ折曲された縦片部、及びその先端が略水平状に折曲された上片部を備える重合部と、を有し、
面板部の他端には、他側立上り部の先端が一側へ折り返された被係合部、その下方に設けられた排水溝、及びその上方へ延設された被重合部を有し、
隣り合う当該建築用板材の重合部と被重合部とを重合させると共に、前記水切勾配を備える傾斜片部を上面とする防水空間が形成されるように接続することができることを特徴とする建築用板材。
【請求項２】
請求項１に記載の建築用板材どうしを接続した接続構造であって、
前記建築用板材の重合部と隣り合う前記建築用板材の被重合部とを重合させると共に、水切勾配を備える傾斜片部を上面とする防水空間が形成されるように接続してなることを特徴とする建築用板材の接続構造。
【請求項３】
縦片と、該縦片の上端を下方へ折曲させた傾斜片とで係合部を形成してなる保持部材が下地に固定され、該保持部材の係合部に建築用板材の被係合部を係合させていることを特徴とする請求項２に記載の建築用板材の接続構造。
【請求項４】
建築用板材を下層材と用い、その被重合部と重合させた重合部の上片部を固定部とすると共にその上層に外装構造を構築したことを特徴とする請求項２又は３に記載の建築用板材の接続構造。
【発明の詳細な説明】
【技術分野】
【０００１】
本発明は、各種の防水構造や天井構造等において、ビス等の固定具の固定部分から雨水等が伝わってきても、内部への浸入を阻止できる防水空間が形成されるように接続できる建築用板材、及びその接続構造に関する。
【背景技術】
【０００２】
近年、陸屋根等の防水構造として、施工不良による漏水が生じにくく、また経年によるシート劣化が生じたとしても漏水事故を生ずることがない防水構造として、特許文献１に記載の構造が提案されている。
この特許文献１に記載の構造は、屋根用部材１の面板部（フラット部１１）の両端を立ち上げた接続端部１２Ａ，１２Ｂに平坦面１２２Ａ，１２２Ｂを形成し、隣り合う屋根用部材１，１を接続する際に前記平坦面１２２Ａ，１２２Ｂを重ね合わせ、その上面側に配置させる断熱材２及び防水シート３の固定金具４ａの部分としている。
そのため、この構造では、最表面側から打ち込む固定金具４ａにより雨水が浸入しても、該雨水を屋根用部材１のフラット部１１に導いて排水することができる。
【先行技術文献】
【特許文献】
【０００３】
【特許文献１】特開２００７−２１１５６３号公報
【発明の概要】
【発明が解決しようとする課題】
【０００４】
しかしながら、前記特許文献１の構造では、固定金具４ａと共に浸入する雨水は、平坦面１２２Ａ，１２２Ｂの重ね合わせ部分から、屋根用部材１の裏面側へ伝わってしまうため、内部への浸入、漏水が生じてしまうものであった。
【０００５】
そこで、本発明は、各種の防水構造や天井構造等において、ビス等の固定具の固定部分から雨水等が伝わってきても、内部への浸入を阻止できる防水空間が形成されるように接続できる建築用板材、及びその接続構造を提案することを目的とする。
【課題を解決するための手段】
【０００６】
本発明は、上記に鑑み提案されたもので、隣り合う建築用板材どうしを防水空間を形成して接続することができる建築用板材であって、面板部の一端に、一側立上り部の上端を下り傾斜させた水切勾配を備える傾斜片部と、その下端が上方へ折曲された縦片部、及びその先端が略水平状に折曲された上片部を備える重合部と、を有し、面板部の他端には、他側立上り部の先端が一側へ折り返された被係合部、その下方に設けられた排水溝、及びその上方へ延設された被重合部を有し、隣り合う当該建築用板材の重合部と被重合部とを重合させると共に、前記水切勾配を備える傾斜片部を上面とする防水空間が形成されるように接続することができることを特徴とする建築用板材に関するものである。
【０００７】
また、本発明は、前記建築用板材どうしを接続した接続構造であって、前記建築用板材の重合部と隣り合う前記建築用板材の被重合部とを重合させると共に、水切勾配を備える傾斜片部を上面とする防水空間が形成されるように接続してなることを特徴とする建築用板材の接続構造をも提案するものである。
【０００８】
さらに、本発明は、前記接続構造において、縦片と、該縦片の上端を下方へ折曲させた傾斜片とで係合部を形成する保持部材が下地に固定され、該保持部材の係合部に建築用板材の被係合部を係合させていることを特徴とする建築用板材の接続構造をも提案する。
【０００９】
また、本発明は、前記建築用板材を下層材と用い、その被重合部と重合させた重合部の上片部を固定部とすると共にその上層に外装構造を構築したことを特徴とする建築用板材の接続構造をも提案する。
【発明の効果】
【００１０】
本発明の建築用板材は、隣り合う当該建築用板材の重合部と被重合部とを重合させることにより、ビス等の固定具の固定部分を形成でき、水切勾配を備える傾斜片部を上面とする防水空間が形成されるように接続できるので、固定部分の固定具から雨水等が伝わってきても、傾斜片部にてそれ以上の雨水等の侵入を防止できる。
そのため、この建築用板材は、防水作用を必要とする各種の下層材や内外装材、天井材等として広く適用できることが見込まれる。
特に縦片部を設けているため、その上面側に防水層等を施工するのに好適であって、固定具の固定部分の位置を容易に特定できるため、容易に且つ確実に固定具を固定して防水層等を施工することができる。
【００１１】
また、前記建築用板材を用いた接続構造は、前述のように各種の下層材や内外装材、天井材等として建築用板材を用いて様々な防水構造、又は防水構造を備える内外壁構造、或いは天井構造として適用することができる。
【００１２】
さらに、縦片と、該縦片の上端を下方へ折曲させた傾斜片とで係合部を形成する保持部材を下地に固定し、該保持部材の係合部に建築用板材の被係合部を係合させている場合には、前記接続構造を前記保持部材にて下地へ固定できると共に、前記保持部材の係合部にて前記防水空間が保護されるという利点をも有する。
【００１３】
また、前記建築用板材を下層材と用い、その被重合部と重合させた重合部の上片部を固定部とすると共にその上層に外装構造を構築した場合、上層の外装構造から雨水等が伝わったとしても下層材の防水空間にて確実に内部へ浸入を阻止できる。
【図面の簡単な説明】
【００１４】
【図１】（ａ）本発明の第１実施例の建築用板材を用いた接続構造の一例を示す正面図、（ｂ）他の一例を示す正面図、（ｃ）更に他の一例を示す正面図である。
【図２】（ａ）第１実施例の建築用板材を下地に取り付けた状態の接続構造を示す正面図、（ｂ）その接続構造を下地層として用いた外装構造の断面図、（ｃ）用いた保持部材及び補強材を示す側面図である。
【図３】第１実施例の建築用板材を用いた別の態様の外装構造の断面図である。
【図４】（ａ）第１実施例の建築用板材を適用した防水構造の一例を示す断面図、（ｂ）別の態様の防水構造を示す断面図である。
【図５】（ａ）本発明の第２実施例の建築用板材の保持部材への取付手順を示す正面図、（ｂ）第２実施例の建築用板材の接続構造を示す正面図、（ｃ）その要部の拡大正面図である。
【図６】（ａ）第２実施例の建築用板材を下地層として用いた外装構造における断熱材の取付手順を示す正面図、（ｂ）形成された外装構造を示す断面図である。
【発明を実施するための形態】
【００１５】
本発明の建築用板材は、隣り合う建築用板材どうしを防水空間を形成して接続することができるものである。
この建築用板材は、面板部の一端に、一側立上り部の上端を下り傾斜させた水切勾配を備える傾斜片部と、その下端を上方へ折曲させた縦片部、及びその先端を略水平状に折曲させた上片部を備える重合部と、を有する。
また、面板部の他端には、他側立上り部の先端が一側へ折り返された被係合部、その下方に設けられた排水溝、及びその上方へ延設された被重合部を有する。
そして、隣り合う建築用板材の重合部と被重合部とを重合させると共に、前記水切勾配を備える傾斜片部を上面とする防水空間が形成されるように接続することができる。
【００１６】
この建築用板材は、面板部の両端にそれぞれ立ち上がる立上り部（一端から立ち上がる一側立上り部、他端から立ち上がる他端立上り部）を備えているが、該構成は多くの従来例に認められる構成であり、特にその具体的構成を限定するものではない。
また、一側立上り部には、縦片部及びその先端を略水平状に折曲させた上片部を備える重合部が延設され、他側立上り部には、上方へ被重合部が延設され、該被重合部に前記重合部をオーバーハング状に重合させることができる構成を備えているが、該構成も多くの従来例に認められる構成であり、重合状に接続されてビス等の固定具の固定部分を形成するものであれば、特にその具体的構成を限定するものではない。特に縦片部については、後述する図示実施例に示すように縦長に形成することで、断熱層などを介して防水層等を施工する際にもビス等の固定具の固定位置を容易に特定することができるため、容易に且つ確実に固定することができる。
【００１７】
前記建築用板材は、一側立上り部には、その上端を下り傾斜させた水切勾配を備える傾斜片部を介して前記重合部が延設され、他側立上り部には、その先端が一側へ折り返された被係合部、その下方に設けられた排水溝を介して上方へ前記被重合部が延設され、防水空間が形成されるように接続できるが、これら（防水空間、傾斜片部、被係合部、排水溝）の構成が極めて特徴的である。
【００１８】
前記防水空間は、前記水切勾配を備える傾斜片部を上面とするものであって、隣り合う建築用板材の接続によって形成され、流れ方向に延在する中空の空間である。
【００１９】
前記傾斜片部は、前記一側立上り部の上端を下り傾斜させた水切勾配を備え、前記防水空間の上面となる部位であって、仮に前記重合部に打ち込んだ固定具から雨水等が浸入し、しかも前記縦片部を伝って当該傾斜片部に至ったとしても、水切勾配を備えるので、その裏面を雨水等が重力に逆らって伝っていこうとすることを防止するものである。
【００２０】
前記被係合部は、前記他側立上り部の先端が一側へ折り返された部位を指し、前記傾斜片部の傾斜上端の裏面側に配置され、後述する保持部材の係合部に係合させる部分でもある。
そのため、この被係合部は、保持部材の係合部に応じて折り返し状に形成されるが、その折り返し角度も係合部に応じて適宜に設定される。
【００２１】
前記排水溝は、前記被係合部の下方に設けられ、前記防水空間の下面（底面）となる部位であって、Ｖ字状でもＵ字状に形成してもよく、仮に前記重合部に打ち込んだ固定具から雨水等が浸入し、しかも前記縦片部を伝って当該防水空間に至ったとしても、この防水空間が排水空間の役割をも果たすので、この排水溝により流れ方向に沿って排水することができる。
【００２２】
このような構成を有する建築用板材の接続構造は、前記建築用板材の重合部と左右に隣り合う前記建築用板材の被重合部とを重合させると共に、水切勾配を備える傾斜片部を上面とする防水空間が形成されるように接続してなる。
【００２３】
また、この建築用板材は、従来の下葺き材、内外装材、或いは天井材等と同様に保持部材（吊子）等で下地に取り付けて接続して施工することができる。
その保持部材としては、縦片と、該縦片の上端を下方へ折曲させた傾斜片とで係合部を形成するものが用いられ、この保持部材を下地に固定し、前記建築用板材の被係合部をこの保持部材の係合部に係合させる状態で取り付けることができる。この場合、前記保持部材の係合部にて前記防水空間を保護できるという利点をも付加される。
建築用板材を、下層材として用いる場合、被重合部と重合させた重合部の上片部を固定部とし、その上層に各種の外装構造を構築できる。
【実施例１】
【００２４】
図１に示す本発明の第１実施例の建築用板材１は、面板部１１の一端（図面では右端）に、一側立上り部１２の上端を下り傾斜させた水切勾配を備える傾斜片部１３と、その下端を上方へ折曲させた縦長の縦片部１４、及びその先端を略水平状に折曲させた上片部１５を備える重合部１８と、を有する。
また、面板部１１の他端（図面では左端）には、他側立上り部１２'の先端が一側へ折り返された被係合部１６、その下方に設けられた排水部１７、及びその上方へ延設された被重合部１８'を有する。即ちこの被重合部１８'には、接続させた際に前記縦片部１４に縦片部１４'、前記上片部１５に上片部１５'が沿接状となる構成を備えている。
そして、隣り合う当該建築用板材１，１の重合部１８と被重合部１８'とを重合させると共に、前記水切勾配を備える傾斜片部１３を上面とする防水空間１９が形成されるように接続することができる。
【００２５】
この建築用板材１の特徴的な構成としては、前述のように一側立上り部１２には、その上端を下り傾斜させた水切勾配を備える傾斜片部１３を介して重合部１８が延設され、他側立上り部１２'には、その先端が一側へ折り返された被係合部１６、その下方に設けられた排水溝１７を介して被重合部１８'が延設され、防水空間１９が形成されるように接続できる点である。
【００２６】
前記防水空間１９は、前記水切勾配を備える傾斜片部１６を上面とするものであって、隣り合う建築用板材１，１の接続によって、流れ方向に形成される中空の空間である。
この防水空間１９が存在するため、前記重合部１８と被重合部１８'に打ち込んだ固定具から雨水等が浸入し、しかも前記縦片部１４'を伝って当該防水空間１９に至ったとしても、この防水空間１９が排水空間の役割をも果たし、流れ方向に沿って雨水等を排水することができる。
【００２７】
前記傾斜片部１３は、一側立上り部１２の上端を下り傾斜させた水切勾配を備え、防水空間１９の上面となる部位である。そのため、仮に前記重合部１８に打ち込んだ固定具から雨水等が浸入し、しかも前記縦片部１４を伝って当該傾斜片部１３に至ったとしても、水切勾配を備えるので、この傾斜片部１３の裏面を雨水等が重力に逆らって伝っていこうとすることを防止することができる。
【００２８】
また、前記被係合部１６は、他側立上り部１２'の先端を折り返した部位であり、前記傾斜片部１３の傾斜上端の裏面側に配置され、後述する保持部材２の係合部２４に係合させる部分でもある。
そのため、この被係合部１６は、保持部材２の係合部２４に応じて折り返し状に形成され、当該第１実施例ではヘアピン状に形成したが、後述する保持部材２の係合部２４に係合するものであれば、どのような形状でもよい。また、この被係合部１６の下方に設けられた凹状の部位が排水溝１７であり、該排水溝１７は、防水空間１９の下面となる部位である。
【００２９】
前記排水溝１７は、前記被係合部１６の下方に設けられ、前記防水空間１９の下面（底面）となるＵ字状部分である。そのため、仮に前記重合部１８に打ち込んだ固定具から雨水等が浸入し、しかも前記縦片部１４を伝って当該防水空間１９に至ったとしても、この防水空間１９が排水空間の役割をも果たすので、この排水溝１７により流れ方向に沿って排水できる。なお、防水空間１９は、矩形状の中空空間となる。
【００３０】
同図（ａ）〜（ｃ）に示すようにこの建築用板材１は極めて簡易な構成であるため、有効幅、或いは保持部材間隔やその上に形成する防水層に応じて以下に示すように適宜に調整して敷設することができる。
即ち同図（ａ）には、左右にほぼ同一の間隔が形成されるように建築用板材１，１を配し、右側の建築用板材１の右側には、一端側の端縁は等しく形成した板材１Ｂを、左側の建築用板材１の左側には、他端側の端縁は等しく形成した板材１Ｃを配設している。
同図（ｂ）や同図（ｃ）でも中央に二枚の建築用板材１，１を並設する点では同様であるが、同図（ｂ）では、右側の建築用板材１の右側には、一端側の端縁は等しく形成した幅広の板材１Ｂ'を、左側の建築用板材１の左側には、他端側の端縁は等しく形成した幅狭の板材１Ｃ'を配設した。逆に同図（ｃ）では、右側の建築用板材１の右側には、一端側の端縁は等しく形成した幅狭の板材１Ｂ"を、左側の建築用板材１の左側には、他端側の端縁は等しく形成した幅広の板材１Ｃ"を配設した。
【００３１】
図２（ａ）に示す接続構造は、前記第１実施例の建築用板材１を、保持部材２にて下地４取り付けたものである。
この第１実施例における保持部材２は、図２（ｃ）に示すように縦片２１と、該縦片２１の下端を略水平状に延在させた横片２２とからなる略Ｌ字状の成形体であって、前記縦片２１の上端を下方へ折曲させた傾斜片２３とで略鋭角状（略直角状に近似する鋭角状より更に小さく形成した）の係合部２４を備える。そして、図中に点線矢印にて示すように縦片２１の背面側（図中右側）から側面視楔状の挿着部３１を備える補助材３を挿着することにより、建築用板材１の面板部１１の端縁を上方へ押し上げ、前記保持部材２の係合部２４に、建築用板材１の被係合部１６を下方から係合させることができる。
また、前記縦片２１の下端には、略矩形状の開口部２１１が形成されているが、開口寸法は、補助材３の挿着部３１の寸法より僅かに大きく形成されている。
【００３２】
なお、前記補助材３の挿着部３１の後端には、左右に拡開片状の当接突起３２，３２が設けられ、挿着部３１の上面には、跳ね上げ片状の係止突起３３が設けられている。
そのため、この補助材３を図示する矢印のように、縦片２１の背面側から開口部２１１に挿着していくと、前記当接突起２２，２２が、開口部２１１の開口縁に当接するため、それ以上の過重な挿入を防止できる。また、前記係止突起３３が開口部２１１を通過すると、当該係止突起３３が跳ね上がってその上端が開口部２１１に係止するため、抜け戻りが防止される。このように前記当接突起３２や係止突起３３は、補助材３の過剰（過度）な挿入（打ち込み）や抜け（戻り）外れを防止する。
【００３３】
このような構成の接続構造は、水切勾配を備える傾斜片部１３を上面とする防水空間１９が形成されているため、傾斜片部１３の表面側を伝う雨水は勿論、傾斜片部１３の裏面側を伝う雨水も、それ以上の雨水の伝わりを防止することができ、確実に排水することができる。また、前記保持部材２の係合部２４に建築用板材１の被係合部１６を係合させているため、略矩形状に形成される前記防水空間１９の一方の上端を保護する状態となっており、この防水空間１９に対して例えば上方から荷重が作用することがあったとしてもその潰れ等を防止できるため、形状の維持、強化が果たされる。
【００３４】
また、図２（ｂ）に示す外装構造は、前記図２（ａ）の接続構造を下地層（下葺き層）として用いたものであり、前記接続構造の上面側に、予め相じゃくり状に接続することができる形状に成形した断熱材５を配設し、凡そ充満状の断熱層を形成し、その後、外装材６を上下分割型の吊子（７Ａ，７Ｂ）にてキャップ材６Ｂと共に前記断熱層上に敷設している。なお、この断熱層を形成した状態では、固定具の固定部分となる重合部１８及び被重合部１８'の重合部分が上方から見えなくなるので、断熱材５の表面側に該重合部分を示す印等を設けることが望ましい。
なお、ここで用いられた断熱材５は、合成樹脂製の成形板を用いているが、ガラス繊維板、木毛、木片、木繊維セメント板、セメント板と合成樹脂板等を積層した複合板であってもよい。
【００３５】
同図において断熱層上に敷設する外装材６は、前記下葺き材として用いた建築用板材１に対して上葺き材として用いられるものであり、略平坦状の平板部６１の左右端縁に下部吊子７Ａに弾性的に係合する側縁部６２，６２を備え、該側縁部６２の下方及び平板部６１の裏面側には裏貼り材６ｃが添設されている。
前記下部吊子７Ａは、逆π字状のピース状成形体であって、底面７１から固定具７ｃにて断熱材５の一部をも貫通して前記重合部１８及び被重合部１８'の重合部分に固定されるものである。
この下部吊子７Ａと連結する上部吊子７Ｂは、左右に下方が開放する溝状部７２，７２を備える略Ｈ字状のピース状成形体であって、前記下部吊子７Ａに上方から嵌合されるものである。
前記キャップ材６Ｂは、前記上部吊子７Ｂを覆い隠すように取り付けることができる逆Ｕ字状の連続材であって、左右の脚片には弾性的に嵌合可能な係合部６３，６３が形成されている。
【００３６】
そして、前記下部吊子７Ａを、前記重合部１８及び被重合部１８'の重合部分に固定した状態で、前記外装材６を弾性的に係合させた後、前記上部吊子７Ｂを上方から係合させて一体的に連結させると共に外装材６の側縁部６２，６２を溝状部７２，７２にて上方から覆うように保持する。その後、前記キャップ材６Ｂを前記上部吊子７Ｂを覆い隠すように取り付けるが、その係合部６３，６３を、上部吊子７Ｂの外側から外装材６の側縁部６２，６２に弾性的に嵌合させる。
【００３７】
このように施工された図２（ｂ）の外装構造は、前記建築用板材１を下葺き材として用いたので、防水構造を備える外装構造と各種の屋根や外壁等に適用できる。
しかも、前記保持部材２を下地４に固定し、建築用板材１の被係合部１６を前記保持部材２の係合部２４に係合させたので、前記防水空間１９の強化が果たされる。
【００３８】
図３に示す外装構造は、前記図２（ｂ）の外装構造における断熱層を二層構造にしたものであり、それ以外の構成は全く同様であるから、図面に同一符号を付して説明を省略する。
この外装構造では、相じゃくり状に接続することができる形状に成形した断熱材５を配設した後、その上面に略均一厚みのボード状に形成される第二の断熱層５Ｂを敷設しており、その分だけ形成される断熱層の合計厚みが増えるので、長尺な固定具７ｃ'を用いている。なお、前記断熱材５の敷設は、後述する図６（ａ）における断熱材５"の配設と同様に行えばよいので、ここでは説明を省略する。
【００３９】
図４（ａ），（ｂ）は、前記第１実施例の建築用板材１の接続構造を陸屋根等の防水構造における下葺き層として用い、その上面側に防水層８０を形成したものである。
そのため、下葺き層の構成は、他の図面と同様符号を付して説明を省略する。
【００４０】
前記防水層８０は、熱融着して接合できる防水シート８を接合して形成されるものであり、接合部分には被覆板８ｂ及び固着具８ｃを上方から打ち込んで前記重合部１８及び被重合部１８'の重合部分に断熱材５Ｃを貫通して固定している。
この防水シート８は、各種の合成樹脂シートやゴムシートなどを広く用いることができ、例えば塩ビ系（ポリ塩化ビニル(ＰＶＣ)製）の防水シートは、熱風溶接機などで容易に熱融着して接合できるため、施工性に優れたものである。なお、この塩ビ等の樹脂層に不織布（フェルト層）やポリクロス、ガラス繊維基布等の芯体又は補強体を積層した複合防水シートを用いてもよい。これらの複合防水シートは、平面方向に対する伸縮変形（寸法変化）が殆ど無く、物理的応力、特に平面方向の引伸及び厚み方向の圧縮に対する耐性が高いという利点がある。
前記断熱材５Ｃは、略均一厚みのボード状に形成されたものであり、自重等で変形することがない性状を備えるものであえば、ガラス繊維板、木毛、木片、木繊維セメント板、セメント板と合成樹脂板等を積層した複合板等を適宜に用いることができる。
【００４１】
この防水構造では、前述のように縦長の縦片部１４，１４'を備える前記建築用板材１を用いているため、前記防水層８０を施工する際に、固着具８ｃを打ち込む位置を特定し易く、容易に且つ確実に前記重合部１８及び被重合部１８'の重合部分固定することができる。
【００４２】
図４（ｂ）では、前記断熱材５Ｃ以外にも二種の断熱材５Ｄ，５Ｅを用い、充満状の断熱層を形成したものである。
即ち同図では、前記建築用板材１を取り付けた後に該建築用板材１，１間に図中に点線にて斜線ハッチングで示す断面略矩形状の断熱材５Ｅを配設し、更にその上面に図中に破線にてクロスハッチングで示す断面矩形状の断熱材５Ｄを配設した後、前記ボード状の断熱材５Ｃを敷設することで充満状の断熱層を形成している。
なお、この実施例では、前記建築用板材１を用いているが、適宜に縦片部１４，１４'の長さを長く調整したものを用いるようにしてもよい。
【００４３】
図５に示す本発明の第２実施例の建築用板材１'は、以下に示すように被係合部１６"と排水溝１７"との形状が相違する以外は、前記第１実施例の建築用板材１と全く同様であるから、図面に同一符号を付して説明を省略する。
この第２実施例における被係合部１６"も、他側立上り部１２'の先端を折り返した部位である点では前記第１実施例と同様であるが、ヘアピン状ではなく鋭角状に形成されている。
また、この第２実施例における排水溝１７"も、前記被係合部１６"の下方に設けられ、防水空間１９"の下面（底面）となる点では前記第１実施例と同様であるが、Ｕ字状ではなく、Ｖ字状に形成されている。そのため、形成される防水空間１９"は、矩形状ではなく、流れ方向に沿う三角筒状の中空空間となる。
【００４４】
また、前記建築用板材１"を下地４に取り付ける保持部材２"は、前記補助材３を用いるものではなく、横片２２の上面側に台状の支持部２５を備える部材であり、形成される係合部２４"は、略鋭角状ではあるが、前記第１実施例における保持部材２の係合部２４に比べて略直角状に近似する略鋭角状である。
即ちこの第２実施例における保持部材２"は、縦片２１"と該縦片２１"の下端を略水平状に延在させた横片２２"とからなる略Ｌ字状の成形体である点では前記第１実施例と同様であるが、前記縦片２１"の上端を下方へ緩く折曲させた傾斜片２３"とで略直角状に近似する鋭角状に形成した係合部２４"を備える。そして、前記縦片２１"には開口部２１１が形成されず、前記横片２２"の一部を切り起こして支持部２５を形成している。
【００４５】
そのため、この第２実施例では、まず、図５（ａ）に示すように下地４に取り付けた保持部材２"に対し、建築用板材１"の一側立上り部１２が上方に、他側立上り部１２'が下方になるように傾斜状に臨ませ、保持部材２"の支持部２５に面板部１１の端縁が載置され、被係合部１６"が保持部材２"の係合部２４"に係合するように建築用板材１"を配置する。
その後、被係合部１６"を支点として建築用板材１"を回動（傾動）させ、重合部１８が隣り合う（図面では左側に隣り合う）建築用板材１"の被重合部１"に重合するように配設する。
このように施工される図５（ｂ）の接続構造は、前記第１実施例と同様に、水切勾配を備える傾斜片部１３を上面とする防水空間１９"が形成されているため、傾斜片部１３の表面側を伝う雨水は勿論、傾斜片部１３の裏面側を伝う雨水も、それ以上の雨水の伝わりを防止することができ、確実に排水することができる。
【００４６】
図６（ｂ）に示す外装構造は、前記図５（ｂ）の接続構造を下地層（下葺き層）として用いたものであり、前記接続構造の上面側に、予め相じゃくり状に接続することができる形状に成形した断熱材５"を配設し、凡そ充満状の断熱層を形成し、その後、外装材６を上下分割型の吊子（７Ａ，７Ｂ）にてキャップ材６Ｂと共に前記断熱層上に敷設したものである。
この外装構造における断熱材５"は、前記断熱材５と同様に合成樹脂製の成形板を用いているが、ガラス繊維板、木毛、木片、木繊維セメント板、セメント板と合成樹脂板等を積層した複合板であってもよい。この断熱材５"は、図６（ａ）に示すように右端画家法となるように傾斜させた状態で前記接続構造に臨ませ、相じゃくり用に形成した突出下段部５１が面板部１１の端縁に載置されるように配設し、前記建築用板材１"と同様に回動させるように施工し、突出上段部５２が傾斜片部１３上に配置されるように施工する。
【００４７】
このように施工された図６（ｂ）の外装構造は、前記建築用板材１"を下葺き材として用いたので、防水構造を備える外装構造と各種の屋根や外壁等に適用できる。
しかも、前記保持部材２"を下地４に固定し、建築用板材１"の被係合部１６"を前記保持部材２"の係合部２４"に係合させたので、前記防水空間１９"の強化が果たされる。
【符号の説明】
【００４８】
１，１"  建築用板材（下葺き材）
１１  面板部
１２，１２'  立上り部
１３  傾斜片部
１４，１４'  縦片部
１５，１５'  上片部
１６，１６"  被係合部
１７１７"  排水溝
１８  重合部
１８'  被重合部
１９，１９"  防水空間
２，２"  保持部材
２１，２１"  縦片
２２，２２"  横片
２３，２３"  傾斜片
２４，２４"  係合部
２５  支持部
３  補助材
３１  挿着部
３２  当接突起
３３  係止突起
４  下地
５〜５Ｅ  断熱材
６  外装材（上葺き材）
６Ｂ  キャップ材
７Ａ  下部吊子
７Ｂ  上部吊子
７ｃ  固着具
８  防水シート
８０  防水層
【図１】
2020051123.tif 000003
【図２】
2020051123.tif 000004
【図３】
2020051123.tif 000005
【図４】
2020051123.tif 000006
【図５】
2020051123.tif 000007
【図６】
2020051123.tif 000008